(57)【要約】【課題】カップ容器の形状や寸法に拘わりなく、単一の器具で角形を含めた全てのカップ容器に対応可能であって、扱い易い操作性と共に存在を殊更意識させない程に軽量で嵩張らず、携行時にはポケットにも入るほど小さく畳める高い利便性と実用性を具備したスープ漏れ防止蓋固定具を提供すること。【解決手段】カップ容器蓋の周縁部をカップ容器本体の上縁部に押圧する押圧片２、紐体８を横方向に挿通する溝６を有する基部３、押圧片２の側部と基部３の上側部とを縦方向に連結する連結片４とからなる蓋押圧具１を、前記押圧片２の底面と連結片４の側面及び基部３の頂面とがカップ容器蓋の周縁部及びカップ容器本体の上縁部を受け入れる窪み５を形成するように前記押圧片２、前記基部３及び前記連結片４を一体的に形成し、任意で複数個の前記蓋押圧具１に紐体８を挿通して前記紐体８の両端を任意の手段で係止した。【選択図】図１
2009214910.tif 000002
【特許請求の範囲】
【請求項１】
蓋の周縁部を容器本体の上縁部に押圧する押圧片、紐体を横方向に挿通する溝を有する基部、押圧片の側部と基部の上側部とを縦方向に連結する連結片とからなり、押圧片の底面、連結片の側面及び基部の頂面とが、蓋の周縁部及び容器本体の上縁部を受け入れる窪みを形成していることを特徴とするカップ食品容器の蓋押圧具。
【請求項２】
紐体で保持される複数個の上記蓋押圧具からなるカップ゜食品容器の蓋固定具であり、蓋押圧具は、蓋の周縁部を容器本体の上縁部に押圧する押圧片、紐体を横方向に挿通する溝を有する基部、押圧片の側部と基部の上側部とを縦方向に連結する連結片とからなり、押圧片の底面、連結片の側面及び基部の頂面とが、蓋の周縁部及び容器本体の上縁部を受け入れる窪みを形成していることを特徴とするカップ食品容器の蓋固定具。
【発明の詳細な説明】
【技術分野】
【０００１】
この発明は、熱湯を注いだカップ容器を持ったまま移動する際に湯注入口からのスープ漏れを防止するカップ容器スープ漏れ防止蓋押圧具に関する。
【背景技術】
【０００２】
カップ食品はその手軽さや便利さから一般家庭やオフィスなど屋内で利用されるばかりではなく、コンビニやキャンプ、釣り、各種広場でのイベントなど屋外で利用される機会も非常に多い。屋内でカップ食品を食する場合にはカップ容器に熱湯を注いだ後にアルミ蓋を閉め、開口部分の上にスプーンや箸などの小物を置きアルミ蓋が開くのを防ぐ手段を講じる例が多い。しかし、コンビニで利用する場合には店内で熱湯を注いだ後には駐車場の車まで移動して車内で食すのが一般的であり、或いは近くの公園など他の場所に移動して食する場合もある。前記のようなカップ麺を持っての移動には持ち歩くこと自体の揺れや近くの人に接触しての衝撃や急なブレーキ操作などの揺れでスープが漏れ出し、火傷や衣服を汚すことに対する不安を誰しもが抱くものである。また、キャンプなど野外で利用する状況ではカップ容器を安定した状態で置いておく平らな場所を確保すること自体が困難である場合も多く、カップ食品は便利ではあるが、屋外で利用する場合には多くの不安材料を伴う食品ともいえる。従って、カップ食品を屋外で利用する場合にはアルミ蓋の上に小物を置くなど単にアルミ蓋が開くのを防ぐだけでは十分とは言えず、熱湯を注ぎ飲食が可能になるまで待っている間、或いは移動する間の安全性の確保が必要とされる。
【０００３】
従来、カップ容器のスープ漏れ防止の方法として、円錐状のカップ容器をそのまま直径の微調整が可能な密封容器に閉じ込める例としては特許文献１があり、容器の蓋の上に何らかの小部材を載せて押圧する手段としては特許文献２がある。
今日、各カップ食品メーカーは容器に納める麺やスープなどの内容物の特徴を活かすべく趣向を凝らしカップ食品毎に容器の寸法や形状を決定しておりそれらは非常に多様化している。カップ容器からのスープ漏れ防止に関して前記特許文献１のように円錐形のカップ容器であれば多少の寸法差を同一の器具内で微調整して対処可能ではあるが前記何れの不満解消例も形状が略円錐状のカップ容器を対象にしたものを主としている。
【０００４】
【特許文献１】特開２００６−３１５７６１
【特許文献２】特開平８−２１７１０５
【発明の開示】
【発明が解決しようとする課題】
【０００５】
カップ容器の形状には円錐形以外に角形の容器も存在し、また寸法が最大の容器と最小の容器とでは同一の器具単体で対応するには不可能な程の寸法差がある。カップ食品を屋外で利用する場合には機能性のみならず手軽さを含めた利便性が要求され、寸法に適合した専用の器具を各種携行したり、或いはたとえ寸法に適合した専用の器具単体であっても携行に抵抗を感じるほどに嵩張るものであっては如何に機能的に優れたものであっても利用者の使用にためらいが生じるのも事実である。そこで、カップ容器の形状や寸法に拘わりなく、単一の器具だけで角形を含めた全てのカップ容器に対応可能であって、扱い易い操作性と共に存在を殊更意識させない程に軽量で嵩張らず、携行時にはポケットにも入るほど小さく畳める高い利便性と実用性を同時に具備したスープ漏れ防止器具を実現することにある。
【課題を解決するための手段】
【０００６】
以上の課題を解決する手段として本発明は、カップ容器蓋の周縁部をカップ容器本体の上縁部に押圧する押圧片、紐体を横方向に挿通する溝を有する基部、押圧片の側部と基部の上側部とを縦方向に連結する連結片とからなる蓋押圧具を、前記押圧片の底面と連結片の側面及び基部の頂面とがカップ容器蓋の周縁部及びカップ容器本体の上縁部を受け入れる窪みを形成するように前記押圧片、前記基部及び前記連結片を一体的に形成し、任意で複数個の前記蓋押圧具に紐体を挿通して前記紐体の両端を任意の手段で係止した。
前記基部の溝に挿通する紐体の材質及び形態は任意とし、両端が開放された形態の紐体である場合の係止手段は任意である。
【発明の効果】
【０００７】
本発明によれば、カップ容器の蓋の開口区間の縁部に紐体を挿通した蓋押圧具を寄せ集め、密着させて装着すると、一連の複数の蓋押圧具は密着点でカップ容器縁部の形状や曲率に追従して自在に曲がり、カップ容器蓋を上から隙間なく押圧し、カップ容器の蓋と縁部の密着状態が実現する。
【発明を実施するための最良の形態】
【０００８】
以下、図１を参照しながら本発明の具体的な実施形態を説明する。（ａ）は蓋押圧具１の斜視図である。蓋押圧具１は、両側面が円弧状の横幅が約２０ｍｍ、縦幅が約１０ｍｍ、厚さが約２ｍｍの蓋押圧片２と下方の基部３とが連結片４を挟み一体的に連設されており、前記蓋押圧片２、前記基部３及び前記連結片４とでカップ容器縁部を受け入れる略コ字形の断面をもつ窪み５を形成している。前記基部３には紐体が挿通可能な溝６が横方向に貫通し、カップ容器に係着する側の壁面７はカップ容器本体の壁面に近似した傾斜角度に形成されている。
【０００９】
（ｂ）は蓋押圧具１と紐体８を組み合わせ紐体８の両端をアジャスター９で係止した状態の蓋固定具１０の斜視図である。紐体８に挿通される蓋押圧具１は通常１０個程度であるが本図（ｂ）の中では１個のみ表示し他は省略してある。紐体８の両端を係止する手段は、本図ではアジャスター９で表示したが本発明では任意である。
【００１０】
（ｃ）は２個の蓋押圧具１、１をカップ容器縁部に密着して装着した場合の、前記蓋押圧具１、１の最上部を形成する蓋押圧片５、５同士の関係を示す説明図である。二点差線で表示した円弧１１、１２はカップ容器の縁部の輪郭を示すもので、前記円弧１１と１２で挟まれた領域がカップ容器の開放側端面であり通常カップ容器蓋の裏面はこの領域で接着されている。蓋押圧具１、１の表示は便宜上蓋押圧片２、２の輪郭で示し、それぞれの連結片４、４位置相当部をドット表示で示してある。二点鎖線１３、１４、１５はカップ容器の中心から蓋押圧片２、２の側面に引いた接線を示し、黒丸印１６、１７、１８は前記接線と蓋押圧片の側面との接点を示し、プラス印１９、２０は蓋押圧片の輪郭を設定する際の仮想円の中心を示すもので、前記プラス印１９と２０を結ぶ直線と接線１４が交差する黒丸印１７が前記蓋押圧片２、２の接点であることを示している。隣接する蓋押圧片２、２同士の接点のカップ容器縁部上面との相対的な位置関係は、蓋押圧片２の横幅、前記仮想円の半径、装着を想定するカップ容器の直径等の設定次第で任意に設定することができ、想定するカップ容器の直径の範囲以内で常に接点を容器の縁部上に位置する事が可能である。
【００１１】
なお、本例では蓋押圧片１の左右の側面の輪郭の形状を円弧状で表示したが、蓋押圧片１は複数個密着して装着した時に密着点で隙間を作ることなくカップ容器蓋をカップ容器縁部に押圧するための部材であり、密着部での接点がカップ容器縁部上で隙間を作らなければ蓋押圧片１としての形状は任意である。
「使用方法」
図２は本発明の使用方法を示す斜視図で（ａ）は蓋押圧具１、紐体８、アジャスター９を組合せてカップ容器２１に装着した時の斜視図を示すもので、カップ容器２１に熱湯を注いだ後に蓋２２を閉め、前記カップ容器２１の縁部が蓋押圧具１の窪みに嵌入される状態で、湯注入口の開口部より長めの区間に蓋押圧片の両側面が密着するように複数個の蓋押圧具１が装着されていて、前記各蓋押圧具１の溝を挿通する紐体８はカップ容器２１を環状に囲み、その両端はアジャスター９で係止されている。
（ｂ）はカップ食品を実際に食す時の状態を示す斜視図であり、カップ容器２１に熱湯を注入して（ａ）の状態で数分経過後、一連の蓋押圧具１を湯注入口に対峙する側に寄せ集め、蓋２２を大きくめくった状態を表示したものである。この時、蓋押圧具１は紐体８ごとカップ容器２１から外しても差し支えない。
【００１２】
蓋押圧具１の下部を挿通する紐体８の両端をカップ容器２１の周囲から締め付けると、紐体８に発生する力は紐体８が形成する環状部の直径をより小さくする作用として働き、紐体８の環状部位はカップ容器２１の傾斜壁面に沿って下がるため、紐体８に挿通される基部と一体をなす蓋押圧片が下方に引っ張られカップ容器２１の縁部を上から押圧する結果を得る。
（ｃ）は、角型のカップ容器２１１の縁部に蓋押圧具１を密着して装着した状態を示す斜視図である。蓋押圧具１はそれぞれ独立しておりカップ容器の形状に拘わらず装着可能であることを示すものである。
「他の実施形態」
図３〜６は蓋固定具を構成する蓋押圧具の他の形状例を示す斜視図である。
【００１３】
図３は基部３０１に貫通する溝６０１の断面が円形の蓋押圧具２０１の形状例を示すもので、溝の断面は挿通する紐体に適した形状でよく、溝６０１は丸紐や丸ゴムに適する溝の例を示したものである。
図４（ａ）は基部３０２に貫通する溝６０２を形成する背部壁面の上部に横方向全幅にわたり２〜３ｍｍ幅のスリット２３を設け壁面を切り離した蓋押圧具２０２の形状例を示すもので、（ｂ）は紐体８０１を前記スリットから滑らせるように挿入させる経過を示すもので、両端が開放されていない紐体であっても溝６０２に挿通可能である事を示している。
図５（ａ）は基部３０３の壁面に縦方向にスリット２４、２４を設けた蓋押圧具２０３の形状例を示すもので、（ｂ）に示すように紐体の両端をそれぞれ２つのスリット２４、２４を経由して重ね合わせるように通すと紐体８０２の長さの調整が可能になると共に紐体の両端を係止するアジャスターとして兼用可能である。紐体８０２の両端部を明確にするため一方はドット表示して示してある。
図６は溝６０３を形成する壁面の上部に横方向全幅にわたり２〜３ｍｍ幅のスリット２３１を設け壁面を切り離すと同時に壁面に縦方向にスリット２４１、２４１を設けた蓋押圧具２０４の形状例を示すもので、両端が開放されていない紐体の使用とアジャスター兼用使用を同時に可能とするものである。
なお、前記蓋押圧具の材質は任意であるが、蓋押圧具は携行性を考慮すると軽量な樹脂製が好ましい。また、紐体の材質も任意であるが、直径の異なるカップ容器に装着する場合にはカップ容器蓋の押圧条件を一定に調整することが可能な状態である事が好ましく、伸縮性のある素材の紐体とカップ容器の直径に合わせて紐体の長さを調整するためのアジャスターとを組み合わせて使用する形態が最も好ましい。
以上のように、本発明では独立した着脱自在の蓋押圧具を必要な数量だけ数珠繋ぎにして使用するため、カップ容器の寸法と縁部の形状に応じて自在に蓋押圧具を装着する事が可能であり、カップ容器の形状や寸法に拘わらずカップ容器と蓋押圧片との密着を常に確実に確保することができる。また大小の寸法の異なるカップ容器に対しては蓋押圧具の数量の増減だけで対応するため外観及び使用感にも特別な差は生じない。しかも蓋押圧具を樹脂製とすれば各蓋押圧具単体の重量は約１グラム程度であり紐体を含めても極めて軽量であり、また蓋押圧具はそれぞれ独立しているので折りたたむようにして丸めれば胸ポケットにも入る程度にまで小さくなるため携帯性には極めて優れている。また蓋固定具としてカップ容器に装着した時のカップ容器の表面に対する相対的な面積は小さく、使用に対する抵抗感が緩和され、本発明は使用と携行に対する抵抗感を解消した気軽に使える機能性と実用性を具備するものである。
【図面の簡単な説明】
【００１４】
【図１】（ａ）は蓋押圧具１の斜視図、（ｂ）は蓋押圧具１と紐体８を組み合わせ紐体８の両端をアジャスター９で係止した状態の斜視図。（ｃ）は２個の蓋押圧具をカップ容器縁部に密着して装着した場合の、蓋押圧部の最上部を形成する蓋押圧片どうしの関係を示す説明図。
【図２】本発明の使用方法を示す斜視図で（ａ）は蓋固定具１をカップ容器２１に装着した時の斜視図、（ｂ）は蓋押圧具１を１箇所に寄せ集め、蓋２２を大きくめくった状態を示す斜視図。（ｃ）は角型のカップ容器２１１の縁部に蓋押圧具１を密着して装着した状態を示す斜視図。
【図３】蓋押圧具２０１の基部３０１に貫通する溝６０１の断面の形状が円形の例の場合の斜視図。
【図４】（ａ）は溝を形成する壁面の上部を横方向全幅にわたり２〜３ｍｍ幅のスリット幅で切り離した蓋押圧具２０２の形状例を示す斜視図、（ｂ）は両端が開放されていない紐体であっても溝に挿通可能であることを示す斜視図。
【図５】（ a ）は基部３０３の壁面に縦方向にスリット２４、２４を設けた蓋押圧具２０３の形状例を示す斜視図、（ｂ）は紐体の両端をそれぞれ２つのスリットを経由して重ね合わせるように通すと紐体の長さ調整と係止を可能とするアジャスターとして兼用可能であることを示す斜視図。
【図６】（ａ）は溝６０３を形成する壁面の上部を横方向全幅にわたり２〜３ｍｍ幅で壁面を切り離すと同時に縦方向にスリット２４１、２４１を設けた蓋押圧具２０４の形状例を示す斜視図。
【符号の説明】
【００１５】
１・・・・・・蓋押圧具
２・・・・・・蓋押圧片
３・・・・・・基部
４・・・・・・連結片
５・・・・・・窪み
６・・・・・・溝
８・・・・・・紐体
２１・・・・・カップ容器
２２・・・・・蓋
【図１】
2009214910.tif 000003
【図２】
2009214910.tif 000004
【図３】
2009214910.tif 000005
【図４】
2009214910.tif 000006
【図５】
2009214910.tif 000007
【図６】
2009214910.tif 000008